(57)【要約】【課題】光軸方向に対して直交する方向における光源の筐体に対する取付位置精度を向上させることができる露光装置、画像形成装置を得る。【解決手段】取付部材３４６を用いてプリント配線基板３３０を筐体４０Ａに取り付けると、取付部材３４６が弾性変形する。弾性変形した取付部材３４６の部位Ａにおける付勢力Ｆの光軸方向における分力をＦＡ、光軸方向と直交する方向の分力をＦＢとし、固定部位Ｂにおける付勢力Ｆ´の光軸方向における分力をＦ´Ａ、光軸方向と直交する方向の分力をＦ´Ｂとする。そうすると、ＦＢの方向とＦ´Ｂの方向とが逆方向を向いているため、ＦＢとＦ´Ｂとがほぼ相殺され、プリント配線基板３３０の光軸方向と直交する方向の動きが抑制される。これにより、光軸方向に対して直交する方向における光源３０２の筐体４０Ａに対する取付位置精度を向上させることができる。【選択図】図１
2011104867.tif 000002
【特許請求の範囲】
【請求項１】
複数の光ビームを出射する光源と、
前記光源が実装される基板と、
光ビームを案内する光学系が収容される筐体に備えられ、前記光源の周りに設けられた位置決め面と接して前記光源の前記筐体に対する光軸方向の位置を決める位置決め部材と、
前記筐体に取り付けられ、光軸方向と直交する方向に張り出して折り返されると共に、折り返された先端側が前記基板に取り付けられ、弾性変形の復元力によって前記光源の周りに設けられた位置決め面を前記位置決め部材に付勢して前記基板を前記筐体に取り付ける取付部材と、
を備える露光装置。
【請求項２】
複数の光ビームを出射する光源と、
前記光源が実装される基板と、
光ビームを案内する光学系が収容された筐体に備えられ、前記光源の周りに設けられた位置決め面と接して前記光源の前記筐体に対する光軸方向の位置を決める位置決め部材と、
前記筐体に取り付けられ、光軸方向と直交する方向に両端部が互いに離れる方向に張り出して折り返されると共に、折り返された両端側が前記基板に取り付けられ、弾性変形の復元力によって前記光源の周りに設けられた位置決め面を前記位置決め部材に付勢して前記基板を前記筐体に取り付ける取付部材と、
を備える露光装置。
【請求項３】
請求項１又は２に記載の露光装置と、
前記露光装置から出射された複数の光ビームが照射され、外周面に静電潜像が形成される像保持体と、
前記像保持体の外周面に形成された静電潜像を現像してトナー画像として可視化する現像装置と、
を備える画像形成装置。
【発明の詳細な説明】
【技術分野】
【０００１】
本発明は、露光装置及び画像形成装置に関する。
【背景技術】
【０００２】
特許文献１には、光源が実装された基板が記載されており、この基板は２本のビスによって光学箱に取り付けられている。
【０００３】
詳細には、光学箱（筐体）には、光源の光軸方向の位置を決める支持基台が設けられており、２本のビスを用いてこの支持基台に光源の周りに設けられた位置決め面を押し付けるように基板を光学箱に取り付けるようになっている。
【先行技術文献】
【特許文献】
【０００４】
【特許文献１】特開２００４−６５９２号公報
【発明の概要】
【発明が解決しようとする課題】
【０００５】
本発明の課題は、光軸方向に対して直交する方向における光源の筐体に対する取付位置精度を向上させることである。
【課題を解決するための手段】
【０００６】
本発明の請求項１に係る露光装置は、複数の光ビームを出射する光源と、前記光源が実装される基板と、光ビームを案内する光学系が収容される筐体に備えられ、前記光源の周りに設けられた位置決め面と接して前記光源の前記筐体に対する光軸方向の位置を決める位置決め部材と、前記筐体に取り付けられ、光軸方向と直交する方向に張り出して折り返されると共に、折り返された先端側が前記基板に取り付けられ、弾性変形の復元力によって前記光源の周りに設けられた位置決め面を前記位置決め部材に付勢して前記基板を前記筐体に取り付ける取付部材と、を備えることを特徴とする。
【０００７】
本発明の請求項２に係る露光装置は、複数の光ビームを出射する光源と、前記光源が実装される基板と、光ビームを案内する光学系が収容された筐体に備えられ、前記光源の周りに設けられた位置決め面と接して前記光源の前記筐体に対する光軸方向の位置を決める位置決め部材と、前記筐体に取り付けられ、光軸方向と直交する方向に両端部が互いに離れる方向に張り出して折り返されると共に、折り返された両端側が前記基板に取り付けられ、弾性変形の復元力によって前記光源の周りに設けられた位置決め面を前記位置決め部材に付勢して前記基板を前記筐体に取り付ける取付部材と、を備えることを特徴とする。
【０００８】
本発明の請求項３に係る画像形成装置は、請求項１又は２に記載の露光装置と、前記露光装置から出射された複数の光ビームが照射され、外周面に静電潜像が形成される像保持体と、前記像保持体の外周面に形成された静電潜像を現像してトナー画像として可視化する現像装置と、を備えることを特徴とする。
【発明の効果】
【０００９】
本発明の請求項１の露光装置によれば、光軸方向と直交する方向に張り出して折り返されずに基板に取り付けられる取付部材を用いる場合と比して、光軸方向に対して直交する方向における光源の筐体に対する取付位置精度を向上させることができる。
【００１０】
本発明の請求項２の露光装置によれば、光軸方向と直交する方向に張り出して折り返されずに基板に取り付けられる取付部材を用いる場合と比して、光軸方向に対して直交する方向における光源の筐体に対する取付位置精度を向上させることができる。
【００１１】
本発明の請求項３の画像形成装置によれば、請求項１又は２に記載の露光装置が設けられていない場合と比して、像保持体の外周面に形成される静電潜像の位置精度を向上させることができる。
【図面の簡単な説明】
【００１２】
【図１】本発明の実施形態に係る露光装置の光源の取付構造を示した拡大平面図である。
【図２】本発明の実施形態に係る露光装置の光源の取付構造を示した平面図である。
【図３】本発明の実施形態に係る露光装置の光源の取付構造を示した平面図である。
【図４】本発明の実施形態に係る露光装置の光源の取付構造を示した平面図である。
【図５】本発明の実施形態に係る露光装置の光源の取付構造を示した平面図である。
【図６】本発明の実施形態に係る露光装置の光源の取付構造を示した平面図である。
【図７】本発明の実施形態に係る露光装置の光源の取付構造を示した斜視図である。
【図８】本発明の実施形態に係る露光装置の光源の取付構造に採用された光源を示した正面図である。
【図９】本発明の実施形態に係る露光装置の光学的な構成を示した概略構成図である。
【図１０】本発明の実施形態に係る露光装置の光学的な構成を示した斜視図である。
【図１１】本発明の実施形態に係る露光装置を示した概略構成図である。
【図１２】本発明の実施形態に係る画像形成装置に採用された画像形成ユニットを示した概略構成図である。
【図１３】本発明の実施形態に係る画像形成装置を示した概略構成図である。
【発明を実施するための形態】
【００１３】
本発明の実施形態に係る露光装置及び画像形成装置の一例を図１〜図１３に従って説明する。
【００１４】
（全体構成）
本実施形態に係る画像形成装置１０は、フルカラー画像又は白黒画像を形成するものであり、図１３に示されるように、水平方向一側（図１３における左側）部分を構成する第１処理部が収容された第１筐体１０Ａと、第１筐体１０Ａと分割可能に接続され、水平方向他側（図１３における右側）部分を構成する第２処理部が収容された第２筐体１０Ｂとを備えている。
【００１５】
第２筐体１０Ｂの上部には、コンピュータ等の外部装置から送られてくる画像データに画像処理を施す画像信号処理部１３が設けられている。
【００１６】
一方、第１筐体１０Ａの上部には、第１特別色（Ｖ）、第２特別色（Ｗ）、イエロー（Ｙ）、マゼンタ（Ｍ）、シアン（Ｃ）、ブラック（Ｋ）の各トナーを収容するトナーカートリッジ１４Ｖ、１４Ｗ、１４Ｙ、１４Ｍ、１４Ｃ、１４Ｋが水平方向に沿って交換可能に設けられている。
【００１７】
なお、第１特別色及び第２特別色としては、イエロー、マゼンタ、シアン、ブラック以外の色（透明を含む）から適宜選択される。また、以後の説明では、各構成部品について第１特別色（Ｖ）、第２特別色（Ｗ）、イエロー（Ｙ）、マゼンタ（Ｍ）、シアン（Ｃ）、ブラック（Ｋ）を区別する場合は、数字の後にＶ、Ｗ、Ｙ、Ｍ、Ｃ、Ｋのいずれかの英字を付して説明し、第１特別色（Ｖ）、第２特別色（Ｗ）、イエロー（Ｙ）、マゼンタ（Ｍ）、シアン（Ｃ）、ブラック（Ｋ）を区別しない場合は、Ｖ、Ｗ、Ｙ、Ｍ、Ｃ、Ｋを省略する。
【００１８】
さらに、トナーカートリッジ１４の下側には、各色のトナーに対応する６つの画像形成ユニット１６が、各トナーカートリッジ１４と対応するように水平方向に沿って設けられている。
【００１９】
画像形成ユニット１６毎に設けられた露光装置４０は、前述した画像信号処理部１３によって画像処理を施された画像データを画像信号処理部１３から受け取り、この画像データに応じて変調した光ビームＬを後述の像保持体１８へ照射するように構成されている（図１２参照）。
【００２０】
各画像形成ユニット１６は、図１２に示されるように、一方向（図１２における時計回り方向）に回転駆動される像保持体１８を備えている。各露光装置４０から各像保持体１８へ光ビームＬが照射されることにより、各像保持体１８には静電潜像が形成される。なお、露光装置４０については詳細を後述する。
【００２１】
各像保持体１８の周囲には、像保持体１８を帯電するコロナ放電方式（非接触帯電方式）のスコロトロン帯電器２０と、露光装置４０によって像保持体１８に形成された静電潜像を現像剤で現像する現像装置２２と、転写後の像保持体１８に残留する現像剤を除去する除去部材としてのブレード２４と、転写後の像保持体１８に光を照射して除電を行う除電装置２６とが設けられている。
【００２２】
スコロトロン帯電器２０、現像装置２２、ブレード２４、除電装置２６は、像保持体１８の表面と対向して、像保持体１８の回転方向上流側から下流側へ向けてこの順番で配置されている。
【００２３】
現像装置２２は、トナーを含んだ現像剤Ｇを収容する現像剤収容部材２２Ａと、現像剤収容部材２２Ａに収容された現像剤Ｇを像保持体１８に供給する現像ロール２２Ｂとを含んで構成されている。現像剤収容部材２２Ａは、トナーカートリッジ１４（図１３参照）とトナー供給路（図示省略）を通して接続されており、トナーカートリッジ１４からトナーが供給されるようになっている。
【００２４】
図１３に示されるように、各画像形成ユニット１６の下側には、転写部３２が設けられている。転写部３２は、各像保持体１８と接触する環状の中間転写ベルト３４と、各像保持体１８に形成されたトナー画像を中間転写ベルト３４に多重転写させる一次転写部材としての一次転写ロール３６とを含んで構成されている。
【００２５】
中間転写ベルト３４は、図示しないモータで駆動される駆動ロール３８と、中間転写ベルト３４に張力を付与する張力付与ロール４１と、後述する二次転写ロール６２に対向する対向ロール４２と、複数の巻掛ロール４４とに巻き掛けられており、駆動ロール３８により、一方向（図１３における反時計回り方向）に循環移動されるようになっている。
【００２６】
各一次転写ロール３６は、中間転写ベルト３４を挟んでそれぞれの各画像形成ユニット１６の像保持体１８と対向配置されている。また、一次転写ロール３６は、給電ユニット（図示省略）によって、トナー極性とは逆極性の転写バイアス電圧が印加されるようになっている。この構成により、像保持体１８に形成されたトナー画像が中間転写ベルト３４に転写されるようになっている。
【００２７】
中間転写ベルト３４を挟んで駆動ロール３８の反対側には、ブレードを中間転写ベルト３４に接触させて、中間転写ベルト３４上の残留トナーや紙粉等を除去する除去装置４６が設けられている。
【００２８】
転写部３２の下方には、用紙等の記録媒体が収容される記録媒体収容部４８が水平方向に沿って２個設けられている。
【００２９】
各記録媒体収容部４８は、第１筐体１０Ａから引き出し自在とされている。各記録媒体収容部４８の一端側（図１３における右側）の上方には、各記録媒体収容部４８から記録媒体Ｐを搬送経路６０へ送り出す送出ロール５２が設けられている。
【００３０】
各記録媒体収容部４８内には、記録媒体Ｐが載せられる底板５０が設けられている。この底板５０は、記録媒体収容部４８が第１筐体１０Ａから引き出されると、図示せぬ制御手段の指示によって下降するようになっている。底板５０が下降することで、ユーザーが記録媒体Ｐを補充する空間が記録媒体収容部４８に形成される。
【００３１】
第１筐体１０Ａから引き出された記録媒体収容部４８を第１筐体１０Ａに装着すると、底板５０が、制御手段の指示によって上昇するようになっている。底板５０が上昇することで、底板５０に載せられた最上位の記録媒体Ｐと送出ロール５２とが当るようになっている。
【００３２】
送出ロール５２の記録媒体搬送方向下流側（以下、単に「下流側」という場合がある）には、記録媒体収容部４８から重なって送り出された記録媒体Ｐを１枚ずつに分離する分離ロール５６が設けられている。分離ロール５６の下流側には、記録媒体Ｐを搬送方向下流側に搬送する複数の搬送ロール５４が設けられている。
【００３３】
記録媒体収容部４８と転写部３２との間に設けられる搬送経路６０は、記録媒体収容部４８から送り出された記録媒体Ｐを第１折返部６０Ａで図１３における左側に折り返し、さらに、第２折返部６０Ｂで図１３における右側に折り返すように、二次転写ロール６２と対向ロール４２との間の転写位置Ｔへ延びている。
【００３４】
二次転写ロール６２は、給電部（図示省略）によって、トナー極性とは逆極性の転写バイアス電圧が印加されるようになっている。この構成により中間転写ベルト３４に多重転写された各色のトナー画像が、二次転写ロール６２によって、搬送経路６０に沿って搬送されてきた記録媒体Ｐに二次転写される構成となっている。
【００３５】
搬送経路６０の第２折返部６０Ｂへ合流するように、第１筐体１０Ａの側面から延びる予備経路６６が設けられている。第１筐体１０Ａに隣接して配置される別の記録媒体収容部（図示省略）から送り出された記録媒体Ｐが予備経路６６を通って搬送経路６０に入り込めるようになっている。
【００３６】
転写位置Ｔの下流側には、トナー画像が転写された記録媒体Ｐを第２筐体１０Ｂに向けて搬送する複数の搬送ベルト７０が第１筐体１０Ａに設けられ、搬送ベルト７０に搬送された記録媒体Ｐを下流側に搬送する搬送ベルト８０が第２筐体１０Ｂに設けられている。
【００３７】
複数の搬送ベルト７０及び搬送ベルト８０のそれぞれは、環状に形成されており、一対の巻掛ロール７２に巻き掛けられている。一対の巻掛ロール７２は、記録媒体Ｐの搬送方向上流側と下流側とにそれぞれ配置されており、一方が回転駆動することにより、搬送ベルト７０（搬送ベルト８０）を一方向（図１３における時計回り方向）に循環移動させる。
【００３８】
搬送ベルト８０の下流側には、記録媒体Ｐの表面に転写されたトナー画像を記録媒体Ｐに熱と圧力で定着させる定着ユニット８２が設けられている。
【００３９】
定着ユニット８２は、定着ベルト８４と、定着ベルト８４に対して下側から接触するように配置された加圧ロール８８と、を備えている。定着ベルト８４と加圧ロール８８との間には、記録媒体Ｐを加圧加熱してトナー画像を定着させる定着部Ｎが形成されている。
【００４０】
定着ベルト８４は、環状に形成されており、駆動ロール８９及び従動ロール９０に巻き掛けられている。駆動ロール８９は、加圧ロール８８に対して上側から対向しており、従動ロール９０は、駆動ロール８９よりも上側に配置されている。
【００４１】
駆動ロール８９及び従動ロール９０は、それぞれに、ハロゲンヒータ等の加熱部が内蔵されている。これにより、定着ベルト８４が加熱される。
【００４２】
図１３に示されるように、定着ユニット８２の下流側には、定着ユニット８２から送り出された記録媒体Ｐを下流側へ搬送する搬送ベルト１０８が設けられている。搬送ベルト１０８は、搬送ベルト７０と同様に形成されている。
【００４３】
搬送ベルト１０８の下流側には、定着ユニット８２によって加熱された記録媒体Ｐを冷却する冷却ユニット１１０が設けられている。
【００４４】
冷却ユニット１１０は、記録媒体Ｐの熱を吸収する吸収装置１１２と、記録媒体Ｐを吸収装置１１２に押し付ける押付装置１１４とを備えている。吸収装置１１２は、搬送経路６０に対する一方側（図１３における上側）に配置され、押付装置１１４は、他方側（図１３における下側）に配置されている。
【００４５】
吸収装置１１２は、記録媒体Ｐと接触し、記録媒体Ｐの熱を吸収する環状の吸収ベルト１１６を備えている。吸収ベルト１１６は、吸収ベルト１１６へ駆動力を伝達する駆動ロール１２０と、複数の巻掛ロール１１８とに巻き掛けられている。
【００４６】
吸収ベルト１１６の内周側には、吸収ベルト１１６と面状に接触して吸収ベルト１１６が吸収した熱を放熱させるアルミニウム材料で形成されたヒートシンク１２２が設けられている。
【００４７】
さらに、ヒートシンク１２２から熱を奪い熱気を外部へ排出させるためのファン１２８が、第２筐体１０Ｂの裏側（図１３に示す紙面奥側）に配置されている。
【００４８】
記録媒体Ｐを吸収装置１１２に押し付ける押付装置１１４は、記録媒体Ｐを吸収ベルト１１６へ押し付けながら記録媒体Ｐを搬送する環状の押付ベルト１３０を備えている。押付ベルト１３０は、複数の巻掛ロール１３２に巻き掛けられている。
【００４９】
冷却ユニット１１０の下流側には、記録媒体Ｐを挟んで搬送し、記録媒体Ｐの湾曲（カール）を矯正する矯正装置１４０が設けられている。
【００５０】
矯正装置１４０の下流側には、記録媒体Ｐに定着されたトナー画像のトナー濃度欠陥、画像欠陥、画像位置欠陥等を検出する検出装置１８０が設けられている。
【００５１】
検出装置１８０では、光源から記録媒体Ｐへ出射され、記録媒体Ｐによって上方に反射された反射光をＣＣＤ（Ｃｈａｒｇｅ  Ｃｏｕｐｌｅｄ  Ｄｅｖｉｃｅ）イメージセンサ等の検出素子で検出することにより、トナー濃度欠陥、画像欠陥、画像位置欠陥等を検出するようになっている。
【００５２】
検出装置１８０の下流側には、片面に画像が形成された記録媒体Ｐを第２筐体１０Ｂの側面に取り付けられた排出部１９６に排出する排出ロール１９８が設けられている。
【００５３】
一方、両面に画像を形成させる場合は、検出装置１８０から送出された記録媒体Ｐは、検出装置１８０の下流側に設けられた反転経路２０２に搬送されるようになっている。
【００５４】
反転経路２０２には、搬送経路６０から分岐する分岐パス２０２Ａと、分岐パス２０２Ａに沿って搬送される記録媒体Ｐを第１筐体１０Ａ側に向けて搬送する用紙搬送パス２０２Ｂと、用紙搬送パス２０２Ｂに沿って搬送される記録媒体Ｐを逆方向に向けて折返してスイッチバック搬送させて表裏を反転させる反転パス２０２Ｃが設けられている。
【００５５】
この構成により、反転パス２０２Ｃでスイッチバック搬送された記録媒体Ｐは、第１筐体１０Ａに向けて搬送され、さらに、記録媒体収容部４８の上方に設けられた搬送経路６０に入り込み、転写位置Ｔへ再度送り込まれるようになっている。
【００５６】
次に、画像形成装置１０の画像形成工程について説明する。
【００５７】
画像信号処理部１３で画像処理が施された画像データが、各露光装置４０に送られる。各露光装置４０では、画像データに応じて各光ビームＬを出射して、スコロトロン帯電器２０によって帯電した各像保持体１８に露光し、静電潜像が形成される。
【００５８】
図１２に示されるように、像保持体１８に形成された静電潜像は、現像装置２２によって現像され、第１特別色（Ｖ）、第２特別色（Ｗ）、イエロー（Ｙ）、マゼンタ（Ｍ）、シアン（Ｃ）、ブラック（Ｋ）の各色のトナー画像が形成される。
【００５９】
図１３に示されるように、各画像形成ユニット１６Ｖ、１６Ｗ、１６Ｙ、１６Ｍ、１６Ｃ、１６Ｋの感光体２８に形成された各色のトナー画像は、６つの一次転写ロール３６Ｖ、３６Ｗ、３６Ｙ、３６Ｍ、３６Ｃ、３６Ｋによって中間転写ベルト３４に順次多重転写される。
【００６０】
中間転写ベルト３４に多重転写された各色のトナー画像は、二次転写ロール６２によって、記録媒体収容部４８から搬送されてきた記録媒体Ｐ上に二次転写される。トナー画像が転写された記録媒体Ｐは、搬送ベルト７０によって第２筐体１０Ｂの内部に設けられた定着ユニット８２に向けて搬送される。
【００６１】
記録媒体Ｐ上の各色のトナー画像が定着ユニット８２により加熱・加圧されることで記録媒体Ｐに定着する。さらに、トナー画像が定着された記録媒体Ｐは、冷却ユニット１１０を通過して冷却された後、矯正装置１４０に送り込まれ、記録媒体Ｐに生じた湾曲が矯正される。
【００６２】
湾曲が矯正された記録媒体Ｐは、検出装置１８０によって画像欠陥等が検出された後、排出ロール１９８によって排出部１９６に排出される。
【００６３】
一方、画像が形成されていない非画像面に画像を形成させる場合（両面印刷の場合）は、検出装置１８０を通過後に、記録媒体Ｐが反転経路２０２で反転され、記録媒体収容部４８の上方に設けられた搬送経路６０に送り込まれて、前述した手順で裏面にトナー画像が形成される。
【００６４】
なお、本実施形態に係る画像形成装置１０では、第１特別色及び第２特別色の画像を形成するための部品（画像形成ユニット１６Ｖ・１６Ｗ、露光装置４０Ｖ・４０Ｗ、トナーカートリッジ１４Ｖ・１４Ｗ、一次転写ロール３６Ｖ・３６Ｗ）は、ユーザーの選択により、追加部品として第１筐体１０Ａに装着可能に構成されている。従って、画像形成装置１０としては、第１特別色及び第２特別色の画像を形成するための部品を有さない構成、第１特別色及び第２特別色のうちいずれか１色の画像を形成するための部品のみを有する構成としてもよい。
【００６５】
（要部構成）
次に、露光装置４０の構成について説明する。
【００６６】
図１０に示されるように、露光装置４０は、露光装置４０の筐体４０Ａ（図１１参照）に取り付けられると共に、複数の光ビームＬを出射する光源３０２が実装されるプリント配線基板３３０を備えている。さらに、このプリント配線基板３３０に実装された光源３０２から光ビームＬが照射される像保持体１８までの間には、光源３０２から出射された光ビームＬを偏向させると共に、光ビームを案内する光学系３０４を構成する回転多面鏡であるポリゴンミラー３０６が設けられている。なお、光源３０２及び光源３０２の筐体４０Ａへの取付構造３３６については後述する。
【００６７】
図８に示されるように、光源３０２は、光ビームＬが出射される発光点３０８が２次元配列された面発光レーザとなっており、複数の光ビームＬを出射するようになっている。詳細には、この光源３０２では発光点３０８が２次元的に配置されており、出射された光ビームＬが主走査される方向及び副走査される方向に対して所定の角度を有する直線上に所定の間隔で６つの発光点３０８が配列され、この発光点列が２列形成されている。また、それぞれ変調された光ビームＬが各発光点３０８から出射され、出射された光ビームＬは、副走査方向に異なる走査線を走査するようになっている。
【００６８】
また、図１０、図１１に示されるように、ポリゴンミラー３０６は、正多角柱（本実施形態では正六角柱）の回転体であって、側面に６個の反射面３０６Ａを備えており、正六角形の中心軸を回転中心として図示せぬモータの駆動力で矢印Ｄ方向に回転するようになっている。
【００６９】
さらに、光源３０２から出射された複数の光ビームＬは、同時に同じ反射面３０６Ａに入射されようになっている。そして、このポリゴンミラー３０６の回転によって、各反射面３０６Ａに対する光ビームＬの入射角度が連続的に変化し、反射面３０６Ａで反射した光ビームＬが偏向される構成となっている。これにより、複数の光ビームＬが、同時に像保持体１８の被走査面（外周面）を主走査方向に走査するようになっている。
【００７０】
一方、光源３０２とポリゴンミラー３０６との間の光路中であって、光源３０２に対して光ビームＬの光路下流側（以下単に光路下流側）には、前述した光学系３０４を構成するコリメータレンズ３１２とシリンダレンズ３１４とがこの順番で設けられている。このコリメータレンズ３１２によって、各発光点３０８から出射された複数の光ビームＬは発散光から平行光に変換されるようになっており、シリンダレンズ３１４によって、光ビームＬが副走査方向に収束され、ポリゴンミラー３０６に導かれるようになっている。
【００７１】
つまり、光源３０２から出射された複数の光ビームＬは、コリメータレンズ３１２を透過して平行光となってコリメータレンズ３１２の光路下流側での焦点位置Ｆで交差（図９参照）するように収束する構成となっている。
【００７２】
さらに、図１０に示されるように、ポリゴンミラー３０６の反射面３０６Ａと像保持体１８上の被走査面との間の光路中であって、ポリゴンミラー３０６に対して光路下流側には、主走査方向にのみ集光するパワーを備えると共に、被走査面上で主走査される光ビームＬの速度を等速にするｆθレンズ３２０と、副走査方向に収束させるパワーを備えた第１シリンダミラー３２２及び第２シリンダミラー３２４とが設けられている。
【００７３】
また、第１シリンダミラー３２２と第２シリンダミラー３２４との間の光路中には、第２シリンダミラー３２４に入射する光ビームＬの副走査方向の角度を調整する反射ミラー３２８が設けられている。
【００７４】
詳細には、ｆθレンズ３２０は、ポリゴンミラー３０６で偏向された光ビームＬを像保持体１８の被走査面に走査するときに走査速度が同等となるように光ビームＬを調整するようになっている。
【００７５】
また、第１シリンダミラー３２２及び第２シリンダミラー３２４は、主に副走査方向に集光するパワーを有するものであり、各光ビームＬを像保持体１８へと導くとともに、各光ビームＬを像保持体１８の被走査面上に結像させるようになっている。
【００７６】
さらに、第１シリンダミラー３２２及び第２シリンダミラー３２４は、第１シリンダミラー３２２の像側焦点位置と第２シリンダミラー３２４の物体側焦点位置とが一致するように（第１シリンダミラー３２２と第２シリンダミラー３２４との間の光路長が、第１シリンダミラー３２２の焦点距離と第２シリンダミラー３２４の焦点距離の和となるように）配置されている。これにより、ポリゴンミラー３０６の反射面３０６Ａと像保持体１８の周面の走査位置とが、副走査方向においてアフォーカルで且つ共役な関係とされる。
【００７７】
次ぎに、光源３０２及びこの光源３０２の筐体４０Ａへの取付構造３３６について説明する。
【００７８】
図１０に示されるように、複数の光ビームを出射する光源３０２は直方体状の保持部材３４２により保持されており、この保持部材３４２と共に光源３０２がプリント配線基板３３０に実装されるようになっている。さらに、光源３０２の周りであって、保持部材３４２を構成すると共に光ビームの出射方向に向いた面は、平坦な位置決め面３４２Ａとされている。
【００７９】
図６に示されるように、筐体４０Ａには、筐体４０Ａを構成する平面部３３８から外部に突出すると共に、光源３０２の周りに設けられた位置決め面３４２Ａと接して光源３０２の光軸方向の位置を決める位置決め部材３４０が設けられている。
【００８０】
詳細には、位置決め部材３４０は、光源３０２から出射される光ビームの光軸方向に延びる円筒状とされており、光源３０２に向いた位置決め部材３４０の端面３４０Ａが、光源３０２の周りの位置決め面３４２Ａと接して光源３０２の光軸方向の筐体４０Ａに対する位置を決めるようになっている。
【００８１】
さらに、光源３０２の周りに設けられた位置決め面３４２Ａを位置決め部材３４０の端面３４０Ａに付勢すると共に、プリント配線基板３３０に実装された光源３０２を筐体４０Ａに取り付ける取付部材３４６が設けられている。
【００８２】
図７に示されるように、取付部材３４６は、ばね鋼板で成形され、筐体４０Ａの平面部３３８に取り付けられるようになっており、この取付部材３４６には、中央部に位置決め部材３４０が通る円孔３４８が形成されている。この円孔３４８に対して鉛直方向両側には、円孔３４８より直径が小さい小円孔３５０が２個形成されている。
【００８３】
また、この小円孔３５０と対応する筐体４０Ａの平面部３３８には、内周面にねじ山が形成されたねじ孔３５２が２個設けられている。そして、スクリュー３５４を小円孔３５０へ通してねじ孔３５２に締め込むことで取付部材３４６が筐体４０Ａの平面部３３８に取り付けられるようになっている。
【００８４】
これに対し、図６に示されるように、取付部材３４６の円孔３４８に対して水平方向両側の部分は、光ビームの光軸方向と直交する方向に張り出して折り返されている。さらに、折り返された先端側の取付面３５８にプリント配線基板３３０を取り付けると取付部材３４６が弾性変形して光源３０２の周りに設けられた位置決め面３４２Ａが位置決め部材３４０の端面３４０Ａにその復元力によって付勢されるようになっている。
【００８５】
詳細には、取付部材３４６に設けられた２個の取付面３５８には、かしめナット３６０が夫々設けられており、このかしめナット３６０と対向するプリント配線基板３３０には、円孔３６６が形成されている。
【００８６】
図３に示されるように、光源３０２の周りに設けられた位置決め面３４２Ａを位置決め部材３４０の端面３４０Ａに接しさせた状態では、プリント配線基板３３０と取付部材３４６に固定されたかしめナット３６０との間には隙Ｈが設けられる。そして、図５に示されるように、スクリュー３６８をプリント配線基板３３０の円孔３６６へ通してかしめナット３６０に締め込むことで、取付部材３４６が弾性変形し、取付部材３４６が元の形状に戻ろうとする力（復元力）で、光源３０２の周りに設けられた位置決め面３４２Ａが位置決め部材３４０の端面３４０Ａに付勢されるようになっている。
【００８７】
また、図１に示されるように、スクリュー３６８をかしめナット３６０に締め込み、取付部材３４６を変形させた状態では、外側に張り出した部位Ａでは、取付部材３４６の取付部位Ｃ（スクリュー３５４の締付部位）を中心に斜め外側に傾斜する方向に付勢力Ｆが作用し、かしめナット３６０の固定部位Ｂでは、部位Ａを中心に斜め内側に傾斜するように付勢力Ｆ´が作用するようになっている。
【００８８】
そして、部位Ａにおける付勢力Ｆの光軸方向における分力をＦＡ、光軸方向と直交する方向の分力をＦＢとし、固定部位Ｂにおける付勢力Ｆ´の光軸方向における分力をＦ´Ａ、光軸方向と直交する方向の分力をＦ´Ｂとする。そうすると、ＦＢの方向とＦ´Ｂの方向とが逆方向を向いているため、ＦＢとＦ´Ｂとがほぼ相殺され、プリント配線基板３３０の光軸方向と直交する方向の動きが抑制されるようになっている。
【００８９】
（作用）
図２、図６に示されるように、光源３０２が実装されたプリント配線基板３３０を筐体４０Ａに取り付ける際には、２個のスクリュー３６８をプリント配線基板３３０の円孔３６６へ通してかしめナット３６０に締め込む。これにより、光源３０２が実装されたプリント配線基板３３０は筐体４０Ａに取り付けられる。
【００９０】
詳細には、図３に示されるように、先ず、作業者は、光源３０２の周りに設けられた位置決め面３４２Ａを位置決め部材３４０の端面３４０Ａに接しさせる。この状態では、光源３０２が実装されたプリント配線基板３３０と取付部材３４６に取り付けられたかしめナット３６０との間には隙Ｈが設けられている。
【００９１】
図４に示されるように、次ぎに、作業者は、一方の手でプリント配線基板３３０を保持し、他方の手で１個のスクリュー３６８を持ち、このスクリュー３６８をプリント配線基板３３０に形成された一方の円孔３６６へ通してかしめナット３６０に締め込む。かしめナット３６０にスクリュー３６８を締め込むことで、位置決め部材３４０を挟んで一方側の取付部材３４６が変形して隙Ｈが無くなり、一方側の取付部材３４６の取付面３５８がプリント配線基板３３０に取り付けられる。
【００９２】
さらに、図５に示されるように、一方の円孔３６６へスクリュー３６８を通してこのスクリュー３６８をかしめナット３６０にねじ込んだ状態で、作業者は、一方の手でプリント配線基板３３０を保持し、他方の手で１個のスクリュー３６８を持ち、このスクリュー３６８をプリント配線基板３３０に形成された他方の円孔３６６へ通してかしめナット３６０に締め込む。かしめナット３６０にスクリュー３６８を締め込むことで、位置決め部材３４０を挟んで他方側の取付部材３４６が変形して隙Ｈが無くなり、他方側の取付部材３４６の取付面３５８がプリント配線基板３３０に取り付けられる。
【００９３】
このように、取付部材３４６が変形し、取付部材３４６が元の形状に戻ろうとする力で光源３０２の周りに設けられた位置決め面３４２Ａが位置決め部材３４０の端面３４０Ａに付勢され、光源３０２の光軸方向の位置が決まる。
【００９４】
また、図１に示されるように、部位Ａにおける付勢力Ｆの光軸方向と直交する方向の分力ＦＢと、固定部位Ｂにおける付勢力Ｆ´の光軸方向と直交する方向の分力Ｆ´Ｂとがほぼ相殺され、プリント配線基板３３０の光軸方向と直交する方向の動きが抑制されるため、光軸方向に対して直交する方向における光源３０２の取付位置精度が向上する。
【００９５】
また、プリント配線基板３３０の光軸方向と直交する方向の動きが抑制されることで、片方ずつスクリュー３６８をかしめナット３６０に締め込んでも、プリント配線基板３３０の光軸方向と直交する方向の動きが抑制される。
【００９６】
また、プリント配線基板３３０の光軸方向と直交する方向の動きが抑制されることで、光源３０２の光軸方向と直交する方向の位置調整が容易となる。
【００９７】
また、プリント配線基板３３０の光軸方向と直交する方向の動きが抑制されることで、位置調整後の光源３０２の位置がその位置で維持される（光源３０２が光軸方向と直交する方向には動かない）。
【００９８】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、取付部材３４６には、２個の取付面３５８が設けられたが、特に２個に限定されること無く、１個であっても良いし、３個以上であっても良い。
【００９９】
また、上記実施形態では、１個の取付部材３４６に２個の取付面３５８が形成されたが、取付部材を分割して、１個の取付部材に１個の取付面を形成させてもよい。
【符号の説明】
【０１００】
１０          画像形成装置
１８          像保持体
２２          現像装置
４０          露光装置
４０Ａ        筐体
３０２        光源
３０４        光学系
３３０        プリント配線基板（基板）
３３６        取付構造（光源の取付構造）
３４０        位置決め部材
３４２Ａ      位置決め面
３４６        取付部材
【図１】
2011104867.tif 000003
【図２】
2011104867.tif 000004
【図３】
2011104867.tif 000005
【図４】
2011104867.tif 000006
【図５】
2011104867.tif 000007
【図６】
2011104867.tif 000008
【図７】
2011104867.tif 000009
【図８】
2011104867.tif 000010
【図９】
2011104867.tif 000011
【図１０】
2011104867.tif 000012
【図１１】
2011104867.tif 000013
【図１２】
2011104867.tif 000014
【図１３】
2011104867.tif 000015